(57)【要約】【課題】  光ヘッド装置の薄型化を維持しながら下方側へのストロークを確保でき、且つ光ヘッド装置の通常の駆動時において消費電力も増加させなくて済む構造の光ヘッド装置を提供すること。【解決手段】サスペンションワイヤ１００、１０１、１０２を囲繞するように充填されるダンパー材９９を保持する一対のゲルポット９６と、ホルダ９２の移動のための電磁力を付与する電磁駆動手段とを具備する光ヘッド装置において、１対のゲルポット９６は、対物レンズ９１の光軸方向とほぼ平行な方向とサスペンションワイヤ１００、１０１、１０２の延設方向とに開放された開口部９６１、９６２を有し、開口部の前記光軸方向に位置する端面側を電磁駆動手段に給電するためのフレキシブル配線基板７４で覆っている。【選択図】    図１
2007207363.tif 000002
【特許請求の範囲】
【請求項１】
光源からの出射光を光記録ディスクに集光させる対物レンズが取り付けられたホルダと、このホルダにその先端側が、また前記ホルダに対向配置されたホルダ支持部材にその基端側が、それぞれ固定され前記ホルダを少なくともフォーカス方向及びトラッキング方向の何れか一方へ移動可能に支持する弾性支持部材と、前記ホルダ支持部材のトラッキング方向両側に設けられ、前記弾性支持部材を囲繞するように充填されるダンパー材を保持する一対の保持部と、前記ホルダの前記移動のための電磁力を付与する電磁駆動手段とを具備し光記録ディスクのデータ面に記録を行う光ヘッド装置において、
前記１対の保持部は、対物レンズの光軸方向とほぼ平行な方向と前記弾性支持部材の延設方向とに開放された開口部を有し、
該開口部の前記光軸方向に位置する端面側をフレキシブル配線基板で覆っていることを特徴とする光ヘッド装置。
【請求項２】
請求項１において、前記フレキシブル配線基板は前記電磁駆動手段に給電するための配線基板であることを特徴とする光ヘッド装置。
【請求項３】
請求項１または２において、前記フレキシブル配線基板の表面又はその裏面を、前記開口部の前記光軸方向に位置する端面に当接させた状態で覆っていることを特徴とする光ヘッド装置。
【請求項４】
請求項３において、前記端面と前記ホルダ支持部材における前記対物レンズの光軸方向側上端面とが略同一の高さとなるように形成し、前記各端面が1枚の前記フレキシブル配線基板により密着させられていることを特徴とする光ヘッド装置。
【請求項５】
請求項４において、前記各端面と前記フレキシブル配線基板とは粘着材で固着されていることを特徴とする光ヘッド装置。
【請求項６】
請求項１ないし５において、前記1対の保持部における前記弾性支持部材の延設方向に開放された開口部は、前記ホルダ側のみに開放されていることを特徴とする光ヘッド装置。
【請求項７】
請求項１ないし６において、前記弾性支持部材は複数本からなり、各弾性支持部材は、前記光軸とほぼ平行な方向に間隔を空けて前記トラッキング方向と直交する方向に延設されていることを特徴とする光ヘッド装置。
【請求項８】
請求項１ないし７において、前記１対の保持部は、前記ホルダ支持部材と一体形成されていることを特徴とする光ヘッド装置。
【請求項９】
請求項１ないし８において、前記光ヘッド装置は光記録ディスクのデータ面とレーベル面との双方に記録を行うことを特徴とする光ヘッド装置。
【発明の詳細な説明】
【技術分野】
【０００１】
本発明は、ＣＤやＤＶＤなどの光ディスクの記録、再生を行う光ヘッド装置に関するものである。さらに詳しくは、対物レンズの支持構造に関するものである。
【背景技術】
【０００２】
ＣＤやＤＶＤ等の光ディスクの記録、再生を行う光ヘッド装置の対物レンズ駆動装置として、対物レンズをワイヤで支持するものがよく知られている。
【０００３】
対物レンズはこれを保持するホルダに固定され、このホルダと固定部材との間に複数本の導電性ワイヤを懸架し、対物レンズをフォーカシング及びトラッキング方向に移動可能に支持し、磁気駆動回路により、フォーカシング及びトラッキング方向に駆動している。前記固定部材には、凹部状の空間部を設け、この空間部に弾性支持部材の一端側を囲繞するように粘弾性材のシリコンゲルを充填し、共振時の振動レベルを抑制している。（例えば特許文献１参照）
【特許文献１】実用新案登録第２５２１５６４号公報
【発明の開示】
【発明が解決しようとする課題】
【０００４】
上記特許文献１には、複数の弾性支持部材が１つの大きな空間部に配置されたものと、各弾性支持部材をそれぞれ異なる凹部に配置したものとが開示されている。しかしながら、
いずれも、シリコンゲルが充填される収納部は対物レンズの光軸方向と平行な方向で光ディスク側が、壁部となっておりその厚み分だけ、ワイヤは光軸方向下方寄り（光ディスクから遠ざかる位置）に懸架せざるを得ない構成となっている。しかしながら、装置の薄型化が要求された場合には、作業性や他の部材との干渉等の問題がある。
【０００５】
ところで、最近ライトスクライブもしくはレーザラベリングシステムと呼ばれる規格の光ディスクが開発されている。これは、光ディスクの片面側に使用者が自由に文字や図形を光ヘッド装置のレーザを用いて描画を行えるディスクである。この描画を行う場合はレーベル面に印刷を行うが、ディスクの記録面側の表面（一般の光ディスクにおいて記録内容やタイトル等が印刷されている側の面）からレーザ光を照射するため、光ヘッド装置の対物レンズから前記表面までの距離は通常の再生や記録時の場合（自然中立位置）よりも、物理的に遠くなり、レーザ光のスポットを前記面に最適状態で照射するにはより下方位置に対物レンズを移動させる必要が生じる。（通常０．５ｍｍ前後の移動が必要となる）これを実現するためには、駆動時においてフォーカシング方向に可動する対物レンズホルダの光ヘッド装置のフレームや他の部材との干渉を防ぐため、レンズホルダの高さ方向（光軸方向）をより薄型にし下方方向のストロークをかせぐ必要がある。この場合、ワイヤのホルダへのはんだ固定作業等の関係から光軸方向における各ワイヤ間の距離は確保しなければならないため、必然的に各ワイヤはホルダの高さ方向を十分に利用した配置、即ち少なくとも光ディスク側に配設されたワイヤはよりディスク側へと近づくように配置しなければならない。ところが、面ぶれディスクまたは装置に対する衝撃で、光ヘッド装置がディスクを傷つけることを防ぐため、光ヘッド装置本体の高さ方向は制限されており、ワイヤを十分にデスク側へ近づけることができない。特に、ノートパソコンに使用されるドライブ装置に組み込まれる薄型の光ヘッド装置にあっては、より厳しい制約を受けることとなる。
【０００６】
前述の問題を解決する手段として、予め、描画を行う距離に対物レンズを設定し、通常の再生や記録時には対物レンズをディスク面方向に近づけるようにすることも考えられるが、消費電力がかかり過ぎるという問題がある。
【０００７】
以上の問題点に鑑みて、本発明の課題は、光ヘッド装置の薄型化を維持しながら下方側へのストロークを確保でき、且つ光ヘッド装置の通常の駆動時において消費電力も増加させなくて済む構造の光ヘッド装置を提供することにある。
【課題を解決するための手段】
【０００８】
上記課題を解決するために、本発明では、光源からの出射光を光記録ディスクに集光させる対物レンズが取り付けられたホルダと、このホルダにその先端側が、また前記ホルダに対向配置されたホルダ支持部材にその基端側が、それぞれ固定され前記ホルダを少なくともフォーカス方向及びトラッキング方向の何れか一方へ移動可能に支持する弾性支持部材と、前記ホルダ支持部材のトラッキング方向両側に設けられ、前記弾性支持部材を囲繞するように充填されるダンパー材を保持する一対の保持部と、前記ホルダの前記移動のための電磁力を付与する電磁駆動手段とを具備し光記録ディスクのデータ面に記録を行う光ヘッド装置において、前記１対の保持部は、対物レンズの光軸方向とほぼ平行な方向と前記弾性支持部材の延設方向とに開放された開口部を有し、該開口部の前記光軸方向に位置する端面側をフレキシブル配線基板で覆っていることを特徴とする。
【０００９】
また、本発明では、前記フレキシブル配線基板は前記電磁駆動手段に給電するための配線基板であることが好ましい。この構成であれば、通常電磁駆動手段の近傍に位置するダンパー材を保持する一対の保持部を覆うため、配線基板を特に複雑な形状や引き回しにする必要がない。
【００１０】
また、本発明では、前記フレキシブル配線基板の表面又はその裏面を、前記開口部の前記光軸方向に位置する端面に当接させた状態で覆っていることが好ましい。このようにすると、ダンパー材を保持する保持部内によりいっそう塵埃等の浸入防止効果が高まり、さらに組立作業中等において誤ってダンパ材に触れて、ダンパ材を保持部から脱落させてしまうという危険も回避できる。
【００１１】
また、本発明では、前記端面と前記ホルダ支持部材における前記対物レンズの光軸方向側上端面とが略同一の高さとなるように形成し、前記各端面が1枚の前記フレキシブル配線基板により密着させられていることが好ましい。この構成にすれば、フレキシブル配線基板を平坦状に載置しやすいので他の部材との干渉防止効果につながる。
【００１２】
また、本発明では、前記各端面と前記フレキシブル配線基板とは粘着材で固着されていることが好ましい。こうすれば、フレキシブル配線基板の浮き上がりや変形等が無くなり端面と配線基板との密着度が向上しより薄型化を達成できる。
【００１３】
また、本発明では、前記1対の保持部における前記弾性支持部材の延設方向に開放された開口部は、前記ホルダ側のみに開放されていることが好ましい。このような構成にすれば、４面の壁部にてダンパー材を保持できるので、保持の確実性が増す。
【００１４】
また、本発明では、前記弾性支持部材は複数本からなり、各弾性支持部材は、前記光軸とほぼ平行な方向に間隔を空けて前記トラッキング方向と直交する方向に延設されている。このような複数のワイヤを懸架する場合、ダンパー材が保持された保持部の上端面（光ディスク側）近傍までワイヤを近づけて設置でき、利点をより有効利用できる。
【００１５】
さらにまた、本発明では、前記１対の保持部は、前記ホルダ支持部材と一体形成されていることが好ましい。このようにすれば、ダンパー材の保持部を別途設ける必要が無い。
【００１６】
また、本発明の光ヘッド装置では、光記録ディスクのデータ面とレーベル面との双方に記録を行うことも可能である。即ち、ホルダの下方側への移動ストロークを十分確保できる構成としたため、このような装置にも十分適用できる。
【発明の効果】
【００１７】
本発明にかかる光ヘッド装置では、光源からの出射光を光記録ディスクに集光させる対物レンズが取り付けられたホルダと、このホルダにその先端側が、また前記ホルダに対向配置されたホルダ支持部材にその基端側が、それぞれ固定され前記ホルダを少なくともフォーカス方向及びトラッキング方向の何れか一方へ移動可能に支持する弾性支持部材と、前記ホルダ支持部材のトラッキング方向両側に設けられ、前記弾性支持部材を囲繞するように充填されるダンパー材を保持する一対の保持部と、前記ホルダの前記移動のための電磁力を付与する電磁駆動手段とを具備し光記録ディスクのデータ面に記録を行う光ヘッド装置において、前記１対の保持部は、対物レンズの光軸方向とほぼ平行な方向と前記弾性支持部材の延設方向とに開放された開口部を有し、該開口部の前記光軸方向に位置する端面側をフレキシブル配線基板で覆っている。従って、弾性支持部材を最大限保持部の上端側に配設することができるため、ホルダ自体の薄型化を図れ、ホルダの下方側への移動ストロークを従来よりも大きくとれる。また厚みが薄いフレキシブル配線基板で開口部の光軸方向に位置する端面側を覆うため、装置自体の薄型化も維持できる。
【発明を実施するための最良の形態】
【００１８】
以下、本発明を実施するための最良の形態を図面に基づいて説明する。
【００１９】
（全体構成）
図１は、本発明を適用した光ヘッド装置の第２の軸受部側からみた状態の斜視図である。図２は、図１に示す光ヘッド装置からゲルポットを覆うフレキシブル配線基板を外した状態の斜視図である。図３は、図１に示す光ヘッド装置から金属カバーを外した状態の平面図である。図４は、図１に示す光ヘッド装置から金属カバーおよびフレキシブル配線基板を外し、第１の軸受部側からみた状態の斜視図である。図５は、図１に示す光ヘッド装置の底面図である。
【００２０】
図１〜図３に示す本形態の光ヘッド装置１は、ＣＤおよびＤＶＤ等の光記録媒体に対する情報の再生または／および記録を行うものである。光ヘッド装置１は、マグネシウムなどのダイカスト品からなる金属製の装置フレーム２を有しており、この装置フレーム２の両端の各々には、ディスク駆動装置のガイド軸や送りねじ軸（図示せず）が係合する第１の軸受部２１および第２の軸受部２２が形成されている。装置フレーム２の一方側の側面は、ディスク駆動機構のスピンドルモータ（図示せず）に接近した際の干渉を防止するために円弧状に湾曲している。
【００２１】
装置フレーム２の上面側では略中央に対物レンズ９１が位置し、対物レンズ９１に対して第１の軸受部２１が位置する側には薄い金属カバー８が被せられている。金属カバー８は、装置フレーム２の上面を覆う上板部８１と、この上板部８１の一方の側端縁から下方に屈曲した側板部８２とを有しており、上面部に形成された小穴８３には、装置フレーム２から上方に突出した位置決め突起２９が嵌っている。尚、対物レンズ９１の光軸方向の位置は通常の光ディスク再生、記録時を基準として設定されている。
【００２２】
本形態の光ヘッド装置１は、波長が６５０ｎｍ帯の第１のレーザ光（赤色光）、および波長が７８０ｎｍ帯の第２のレーザ光（赤外光）を用いてＤＶＤ系ディスクおよびＣＤ系ディスクに対する情報の記録、再生が可能な２波長光ヘッド装置である。このため、装置フレーム２上には、第１のレーザ光を出射するＡｌＧａＩｎＰ系のレーザダイオードと、第２のレーザ光を出射するＡｌＧａＡｓ系のレーザダイオードとを一体に備えたツインレーザ光源３０を備えた光源装置３が搭載されている。ここで、ツインレーザ光源３０は、図４に示すように、光源ホルダ３５に搭載されており、この光源ホルダ３５は、装置フレーム２の垂直壁２０９に当接した状態にある。
【００２３】
このような構成の光源装置３から出射される第１のレーザ光および第２のレーザ光は、光源装置３から光記録ディスクに向かう光路に配置された複数の光学素子からなる共通の光学系を介して光記録ディスクであるＤＶＤ系ディスクあるいはＣＤ系ディスクに導かれ、この光学系を構成する光学素子も装置フレーム２上に搭載されている。また、光記録ディスクからの戻り光も、共通の光学系を介して共通の信号検出用受光素子４０に導かれ、かかる戻り光に対する光路を規定する光学素子、および信号検出用受光素子４０も装置フレーム２に搭載されている。
【００２４】
本形態の光ヘッド装置１において、共通の光学系には、光源装置３から出射された第１および第２のレーザ光をトラッキング検出用に３ビームに回折する回折素子５１と、回折素子５１により３ビームに分離したレーザ光を部分透過させる偏光ビームスプリッタ５２と、偏光ビームスプリッタ５２から出射されたレーザ光を平行光にするコリメートレンズ５４と、この平行光を光記録ディスクに向けて立ち上げる立ち上げミラー５５と、立ち上げミラー５５からのレーザ光を光記録ディスクの記録面に収束させる対物レンズ９１とが含まれている。ここで、偏光ビームスプリッタ５２とコリメートレンズ５４との間には波長板５３が配置されている。また、共通の光学系には、光記録ディスクの記録面で反射された後に、立ち上げミラー５５、コリメートレンズ５４および波長板５３を経て偏光ビームスプリッタ５２で反射した第１および第２のレーザ光の戻り光に非点収差を付与するためのセンサーレンズ５６も含まれている。なお、偏光ビームスプリッタ５２に対して信号検出用受光素子４０とは反対側にはモニター用受光素子５７が配置されている。
【００２５】
このように構成した光ヘッド装置１において、光源装置３０から出射された第１および第２のレーザ光は、回折素子５１を透過した後、一部が偏光ビームスプリッタ５２の部分反射面を透過した後、波長板５３で偏光方向が１／４λ分だけ回転した後、コリメートレンズ５４に向かう。そして、コリメートレンズ５４で平行光化されたレーザ光は、立ち上げミラー５５でその光軸が９０度折り曲げられて対物レンズ９１に向かう。その際、ツインレーザ光源３０から出射された第１および第２のレーザ光の一部は、偏光ビームスプリッタ５２の部分反射面で反射して、モニター用受光素子５７に導かれる。このモニター用受光素子５７でのモニター結果は、後述するように、フレキシブル配線基板７１に実装された駆動用ＩＣ６を介してツインレーザ光源３０にフィードバックされ、ツインレーザ光源３０から出射されるレーザ光の強度が制御される。
【００２６】
一方、光記録ディスクからの戻り光は、対物レンズ９１、立ち上げミラー５５を逆に戻り、コリメートレンズ５４、波長板５３、偏光ビームスプリッタ５２を介してセンサーレンズ５６に向けて出射され、このセンサーレンズ５６によって非点収差が付与された後、信号検出用受光素子４０に入射し、信号検出用受光素子４０で検出される。この信号検出用受光素子４０で検出される戻り光には、第１および第２のレーザ光が回折素子５１で回折された３ビームが含まれており、例えば、３ビームのうち、０次光からなるメインビームよって信号の再生が行われるとともに、±１次回折光からなるサブビームの検出結果を用いて対物レンズ９１のトラッキングエラー信号やトラッキングエラー信号の検出が行われる。このようにして検出されたトラッキングエラー信号やトラッキングエラー信号の検出結果に基づいて、前記駆動用ＩＣ６は後述の対物レンズ駆動機構９を制御する。
【００２７】
このように、本形態の光ヘッド装置１では、共通の対物レンズ９１により第１のレーザ光および第２のレーザ光による記録、再生を行うため、対物レンズ９１については、同心円状の溝や段差により回折格子が形成された２波長レンズが用いられている。このため、本形態によれば、対物レンズ９１を共用しても、第１のレーザ光および第２のレーザ光の双方について、表面保護層の厚さが異なる記録層を備えた光記録ディスクに対応することができる。
【００２８】
（フレキシブル配線基板の配置構成）
本形態の光ヘッド装置１において、駆動用ＩＣ６、光源装置３、信号検出用受光素子４０およびモニター用受光素子５７に電源や信号供給を行うために、基材がポリイミドなどからなる複数枚のフレキシブル配線基板が用いられている。
【００２９】
これらのフレキシブル配線基板のうち、最も大きなメインのフレキシブル配線基板７１の下面には、ツインレーザ光源３０に対する駆動や制御などを行う前記駆動用ＩＣ６が実装されている。また、メインのフレキシブル配線基板７１の端部７１１は、モニター用受光素子５７の側に接続されている。サイズの小さな３枚のサブのフレキシブル配線基板のうち、サブのフレキシブル配線基板７２は、フレキシブル配線基板７１の上面に重ねて配置され、かつ、一方端がメインのフレキシブル配線基板７１に接続される一方、他方端は、光源装置３の側に接続されている。他のサブのフレキシブル配線基板７４は、フレキシブル配線基板７１の端部７１２の上面に一方端が重ねて配置され、他方端は途中で折り曲げられて対物レンズ駆動機構９のホルダ支持部９３の背後に配置された配線基板９４に接続される。さらに他のサブのフレキシブル配線基板（図示せず）は、フレキシブル配線基板７１の下面に重ねて配置され、一方端がメインのフレキシブル配線基板７１に接続される一方、他方端は途中で折り曲げられて信号検出用受光素子４０の側に接続される。
【００３０】
ここで、サブのフレキシブル配線基板７４は、一方端から他方端（対物レンズ駆動機構９の回路基板への接続部分）に向かう途中に幅広部分７４１を備えており、この幅広部分７４１は、対物レンズ駆動機構９のホルダ支持部９３においてサスペンションワイヤの根元部分に構成されたゲルポット９６を覆い、ゲルポット９６に対するカバーとしても機能している。
【００３１】
（対物レンズ駆動機構の構成）
図６及び図７は、本形態の光ヘッド装置に使用されるゲルポットにシリコンゲル等のダンパ材９９の充填前及び充填後の対物レンズ駆動機構の斜視図である。
【００３２】
対物レンズ９１は、対物レンズ駆動機構９によってトラッキング方向およびフォーカシング方向の位置がサーボ制御されるようになっており、このような対物レンズ駆動機構９も装置フレーム２に搭載されている。
【００３３】
本形態では、対物レンズ駆動機構９としてワイヤサスペンション方式のものを用いており、かかる対物レンズ駆動機構９としては周知のものを用いることができるので、詳細な説明を省略するが、対物レンズ９１を保持しているレンズホルダ９２と、このレンズホルダ９２を複数本のワイヤ１００、１０１、１０２でトラッキング方向およびフォーカシング方向に移動可能に支持しているホルダ支持部材としてのホルダ支持部９３と、装置フレーム２に固定されたヨーク９５とを備えている。また、対物レンズ駆動機構９は、レンズホルダ９２に取り付けられた駆動コイル９７と、ヨークに取り付けられた駆動マグネット９８により構成される磁気駆動回路を備えており、駆動コイル９７に対する通電を制御することにより、レンズホルダ９２に保持された対物レンズ９１を光記録ディスクに対してトラッキング方向およびフォーカシング方向に駆動する。即ち、前記駆動用コイル、駆動用マグネット等がレンズホルダ９２を移動させるための電磁力を付与する電磁駆動手段を構成している。なお、対物レンズ駆動機構９は、対物レンズ９１のジッタ方向の傾きを調整するチルト制御も可能である。また、対物レンズ９１の周りは、図１、図２等で示す矩形枠状のアクチュエータカバー９０で囲まれている。
【００３４】
（ゲルポットの具体構成）
本形態の光ヘッド装置１では、図７で示すように対物レンズ駆動時における不要共振を減衰する目的のため対物レンズを支持するサスペンションワイヤ１００、１０１、１０２の一端側をダンパー材で囲繞する構成がとられている。このダンパー材を保持する保持部としてのゲルポット９６はホルダ支持部９３のトラッキング方向両側に一体的に設けられており、この１対のゲルポット９６は、対物レンズ９１の光軸方向とほぼ平行な方向に開放された開口部９６１と、この開口部に連通しサスペンションワイヤ１００、１０１、１０２の延設方向に開放された開口部９６２とを有している。さらに、１対のゲルポット９６における前記開口部９６１の1対の開口端面９６３は、夫々、ホルダ支持部９３の前記対物レンズの光軸方向側に設けられた平坦状の上端面９３１と略同一の面高さで且つ前記上端面９３１に近い位置に設けられた平坦面９６３ａと、前記上端面９３１から離れた位置に前記平坦面９６３ａの延設方向とほぼ平行で且つ稜部にアールもしくは面取りが施された曲面９６３ｂとから構成されている。
【００３５】
ゲルポット９６にダンパー材９９を充填した後、前記1対の開口端面９６３を、配線基板９４を介し電磁駆動手段に給電するための厚みが０．１ｍｍ程度のフレキシブル配線基板７４の幅広部分７４１の表面又は裏面を前記開口端面９６３に密接させた状態で覆っている。本形態ではフレキシブル配線基板７４の幅広部分７４１とホルダ支持部９３の前記上端面９３１とは両面粘着テープ等の粘着材又は接着剤で接着固定されている。従って、樹脂や金属性のカバーに比べ厚みを半分以下に薄くでき、装置自体の薄型化に寄与している。
【００３６】
また、前記1対のゲルポット９６における前記開口部９６２は、前記ホルダ側のみに開放されている。即ち、ホルダ支持部９３側（配線基板９４側）はサスペンションワイヤ１００、１０１、１０２が配線基板９４に電気接続するために挿通される挿通孔以外は壁面９６４になっており、両側が開放されたものに比べ、ダンパー材９９を保持しやすい構造になっている。
【００３７】
さらに、前記壁面９６４と配線基板９４との間は空間部９６５、ホルダ支持部９３の基端部９６６の順に配置されている。このため、サスペンションワイヤ１００、１０１、１０２の配線基板９４への固定端に近くダンパー材９９が殆んど寄与しない部位にはダンパー材９９が充填されていないため、ダンパー材をより少量にすることができコスト的にも有利な構造となっている。
【００３８】
複数のサスペンションワイヤ１００、１０１、１０２は、前記光軸とほぼ平行な方向に間隔を空けて前記トラッキング方向と直交する方向に延設されている。このように複数のワイヤを懸架する場合、はんだ付け作業等の関係から各ワイヤ間は所定の間隔をとる必要がある。本形態では、上端部が開放されたゲルポット９６の上端面を厚みの薄いフレキシブル配線基板７４で覆う構成であるため、サスペンションワイヤ１００をゲルポット９６の上端面（光ディスク側）即ち前記開口端面９６３近傍まで近づけて設置できるため、利点をさらに効果的に利用することができる。
【００３９】
（本形態の主な効果）
以上説明したように、本形態の光ヘッド装置１では、上端が開口されたゲルポットを使用しこの開口端をフレキシブル配線基板７４で密接させた構成としたため、ワイヤサスペンション１００、１０１、１０２を最大限ゲルポットの上端側方向に配設することができ、レンズホルダ９２自体の薄型化を図りつつ、レンズホルダ９２の下方側への移動ストロークを従来よりも大きくとれる。その結果、限られた光ヘッド装置の高さ寸法の枠内において、フォーカシング駆動時における対物レンズのフォーカス方向の移動ストロークはもとより、光記録ディスクのレーベル面の描画に適した位置までの下方移動ストロークを確保することが可能となる。また厚みが薄いフレキシブル配線基板で開口部の光軸方向に位置する端面側を覆うため、装置全体の薄型化も維持できる。
【００４０】
また、本形態の光ヘッド装置１における対物レンズ９１は、圧倒的に使用時間の多い通常の光ディスク再生、記録動作時を基準に位置設定しているため、通常の記録再生時の消費電力は変わらない。
【００４１】
さらに、上端部開放型のゲルポットに比べ、防塵が可能で特別なカバー部材を用いる必要がなく、部品点数を増やさなくてよい。また、電磁駆動手段へ給電するためのフレキシブル配線基板７４を、ゲルポットが両側に一体的に形成されたホルダ支持部の背後に配置された配線基板に接続しゲルポットのカバー部材としているため、特別複雑な配線の引き回しをしなくて済むという利点もある。
【００４２】
さらにまた、フレキシブル配線基板７４の幅広部分７４１とホルダ支持部９３の上端面９３１とは両面粘着テープ等の粘着材で接着固定されているため、両者を密着状態とすることができフレキシブル配線基板７４が浮き上がることもなく他の部材との干渉も防止できる。
【００４３】
（その他の実施の形態）
本形態では、壁面９６４とホルダ支持部９３の基端部９６６との間に空間部９６５設けたが、空間部をなくし、サスペンションワイヤ１００、１０１、１０２の挿通する孔のみ開けたホルダ支持部としてもよい。
【００４４】
また、本形態では、電磁駆動手段へ給電するためのフレキシブル配線基板７４を他のフレキシブル配線基板と別体としたが、他の全部の配線基板又は一部の配線基板と一体的に形成したものであってもよい。
【００４５】
さらにまた、本形態では、電磁駆動手段へ給電するためのフレキシブル配線基板７４をゲルポットの開口部端面を覆うようにしたが、配線の引き回しが容易であれば他のフレキシブル配線基板を用いてもよい。
【図面の簡単な説明】
【００４６】
【図１】本発明を適用した光ヘッド装置の第２の軸受部側からみた状態の斜視図である。
【図２】図１に示す光ヘッド装置からゲルポットを覆うフレキシブル配線基板を外した状態の斜視図である。
【図３】図１に示す光ヘッド装置から金属カバーを外した状態の平面図である。
【図４】図１に示す光ヘッド装置から金属カバーおよびフレキシブル配線基板を外し、第１の軸受部側からみた状態の斜視図である。
【図５】図１に示す光ヘッド装置の底面図である。
【図６】本形態の光ヘッド装置に使用されるゲルポットにシリコンゲル等のダンパー材を充填する前の対物レンズ駆動機構の斜視図である。
【図７】本形態の光ヘッド装置に使用されるゲルポットにシリコンゲル等のダンパー材を充填した後の対物レンズ駆動機構の斜視図である。
【符号の説明】
【００４７】
１  光ヘッド装置
２  装置フレーム
３  光源装置
９  対物レンズ駆動機構
３０  ツインレーザ光源（フレームタイプ半導体レーザ）
３５  光源ホルダ
７４  フレキシブル配線基板
９１  対物レンズ
９２  レンズホルダ（ホルダ）
９３  ホルダ支持部（ホルダ支持部材）
９６  ゲルポット（保持部）
９９  ダンパー部材
１００、１０１、１０２  サスペンションワイヤ（弾性支持部材）
９６１、９６２  開口部
９６３  開口端面
【図１】
2007207363.tif 000003
【図２】
2007207363.tif 000004
【図３】
2007207363.tif 000005
【図４】
2007207363.tif 000006
【図５】
2007207363.tif 000007
【図６】
2007207363.tif 000008
【図７】
2007207363.tif 000009